(57)【要約】【課題】極めて簡単な構成により、地中埋設箱内で配線・配管材の支持高さを無段階に調整可能にして、安定した支持状態を確保すると共に、支持部材の側方への延設方向の調整も自在にして、地中埋設箱内での屈曲配線も安定して支持できるようにすることである。【解決手段】地中埋設箱Ｂの箱本体１０内に引き込まれたケーブル（配線・配管材）Ｋ１  を前記箱本体１０内で支持する構造であって、前記箱本体１０の底壁部１２にナット体（取付部）１４が上面開口１に向けて形成され、前記ナット体１４に雄ねじ棒（支持棒体）Ｒの下端部が螺着されて前記箱本体１０内で上下方向に立設され、立設状態の雄ねじ棒Ｒから側方に延設された支持具Ｓ１  により、前記箱本体１０内に引き込まれたケーブルＫ１  が支持され、前記支持具Ｓ１  は、前記ケーブルＫ１  を適宜高さで支持可能とすべく、前記雄ねじ棒Ｒに高さ調整自在に係合して取付けられる構成とする。【選択図】        図８
2004350431.tif 000002
【特許請求の範囲】
【請求項１】
地中埋設箱の箱本体内に引き込まれた配線・配管材を前記箱本体内で支持する構造であって、
前記箱本体の底壁部に取付部が上面開口に向けて形成され、前記取付部に支持棒体の下端部が取付けられて前記箱本体内で上下方向に立設され、
立設状態の支持棒体から側方に延設された支持具により、前記箱本体内に引き込まれた配線・配管材が支持され、
前記支持具は、前記配線・配管材を適宜高さで支持可能とすべく、前記支持棒体に無段階又はほぼ無段階に高さ調整自在に係合して取付けられることを特徴とする地中埋設箱内における配線・配管材の支持構造。
【請求項２】
前記取付部は、雌ねじ部であることを特徴とする請求項１に記載の地中埋設箱内における配線・配管材の支持構造。
【請求項３】
前記支持棒体は雄ねじ棒であることを特徴とする請求項１又は２に記載の地中埋設箱内における配線・配管材の支持構造。
【請求項４】
上面が開口した有底の箱本体を備えた地中埋設箱であって、
前記箱本体内に引き込まれた配線・配管材を支持具を介して支持するための支持棒体を前記箱本体内で上下に立設可能とすべく、前記支持棒体を螺着可能な雌ねじ部が前記上面開口に向けて自身の底壁部に形成されていることを特徴とする地中埋設箱。
【請求項５】
前記支持棒体は、雄ねじ棒であることを特徴とする請求項４に記載の地中埋設箱。
【請求項６】
前記箱本体には、内部に引き込まれた配線・配管材を仕切板により区画して収容可能とすべく、前記仕切板を係止させるための仕切板係止部が形成され、
前記雌ねじ部は、前記仕切板により分割された複数の収容空間に前記支持棒体が各々立設可能なように、分割された各収容空間の底壁部にそれぞれ少なくとも一つは形成されていることを特徴とする請求項４又は５に記載の地中埋設箱。
【請求項７】
前記雌ねじ部は、内部の収容空間を二分割する仕切板が縦横のいずれの方向に配置されても、分割された各収容空間の底壁部に配置されるように、底壁部の中心に対して略対称で、しかも略対角線方向に沿って偶数個形成されていることを特徴とする請求項６に記載の地中埋設箱。
【請求項８】
地中埋設箱の箱本体内に引き込まれた配線・配管材を前記箱本体内で支持する装置であって、
請求項４に記載の地中埋設箱と、
該地中埋設箱を構成する箱本体の底壁部に形成された雌ねじ部に螺着されて、前記箱本体内に立設される支持棒体と、
前記箱本体内に引き込まれた配線・配管材を適宜高さで支持するために前記支持棒体に高さ調整自在に係合される支持具とを備えていることを特徴とする地中埋設箱内における配線・配管材の支持装置。
【発明の詳細な説明】
【０００１】
【発明の属する技術分野】
本発明は、地中埋設ケーブル、地中埋設管等の配線・配管材を中継接続する場合等に地中埋設して使用される地中埋設箱、並びに地中埋設箱内における配線・配管材の支持構造、及び支持装置に関するものである。
【０００２】
【従来の技術】
上記した地中埋設箱においては、その箱本体内において配線・配管材が収容されるため、この配線・配管材が底壁部に垂れ下がるのを阻止して配線・配管材を保護すべく、何らかの部材に吊り下げて支持させる必要がある。この目的に使用される支持装置として、地中埋設箱内に、高さ方向に段階的に多数の取付孔が形成された立設体を立設させ、該取付孔に取付けられて該立設体から側方に延設された支持部材により、箱本体内で配線・配管材を支持するものがある（例えば、特許文献１参照）。
【０００３】
ここで、箱本体内に引き込まれた配線・配管材を支持すべき高さは、箱本体の周壁部に穿設される引込孔の高さ位置によって異なり、この引込孔は施工現場にて適宜穿設されるものであり、また、配線・配管材の太さや本数により、穿設位置、大きさ、数も種々異なるため、全く特定できないことが多い。
【０００４】
しかし、上記した従来の支持装置では、配線・配管材の支持高さは、立設体の取付孔の形成位置に対応した段階的な調整しか行えず、自在な高さ調整ができないために、支持状態が不安定であった。
【０００５】
また、従来の支持装置では、立設体の側方への支持部材の延設方向も、取付孔の位置に対応した方向に制限されていた。このため、箱本体内で配線・配管材を屈曲配線等させる際には、支持部材を屈曲方向に対応した最適な方向に延設できず、この点においても、配線・配管材の支持状態が不安定であった。
【０００６】
【発明が解決しようとする課題】
本発明の課題は、極めて簡単な構成により、地中埋設箱内で配線・配管材の支持高さを無段階に調整可能にして、安定した支持状態を確保すると共に、支持部材の側方への延設方向の調整も自在にして、地中埋設箱内での屈曲配線も安定して支持できるようにすることである。
【０００７】
【課題を解決するための手段】
上記の課題を解決するための請求項１の発明は、地中埋設箱の箱本体内に引き込まれた配線・配管材を前記箱本体内で支持する構造であって、前記箱本体の底壁部に取付部が上面開口に向けて形成され、前記取付部に支持棒体の下端部が取付けられて前記箱本体内で上下方向に立設され、立設状態の支持棒体から側方に延設された支持具により、前記箱本体内に引き込まれた配線・配管材が支持され、前記支持具は、前記配線・配管材を適宜高さで支持可能とすべく、前記支持棒体に無段階又はほぼ無端段階に高さ調整自在に係合して取付けられることを特徴としている。
【０００８】
請求項１の発明によれば、箱本体の底壁部にその上面開口に向けて形成された取付部に支持棒体の下端部を取付けると、箱本体の底壁部に支持棒体が立設され、支持棒体には、箱本体内に引き込まれた配線・配管材を支持させる支持具が、無段階又はほぼ無段階に高さ調整自在に係合される。このため、配線・配管材の太さや本数により、箱本体の側壁部に穿孔する引込孔の位置、大きさ、数が変化して、箱本体内に収容される配線・配管材の余長部に変化が生じても、支持棒体に対して支持具を前記余長部に対応した最適の高さ位置に係合させられて、箱本体内における配線・配管材の支持状態が安定化する。また、支持棒体に対して支持具が係合される構成であるので、支持棒体に対する支持具の延設方向（配置方向）も自在に調整できるため、箱本体内における配線・配管材の屈曲配線等も可能となり、上記した配線・配管材の支持高さの調整が可能となることと相俟って、配線・配管材を一層安定化した状態で支持できる。
【０００９】
また、請求項２の発明は、請求項１の発明において、前記取付部は、雌ねじ部であることを特徴としている。このため、箱本体の底壁部に対する支持棒体の取付けが簡単となって、箱本体内における配線・配管材の配線・配管作業が容易となる。
【００１０】
また、請求項３の発明は、請求項１又は２の発明において、前記支持棒体は雄ねじ棒であることを特徴としている。請求項３の発明によれば、支持具の高さ位置、及び配置方向の調整が極めて容易で、しかも容易に入手可能な雄ねじ棒を支持棒体としているために、請求項１又は２の発明の作用効果を確実に実現できる。
【００１１】
請求項４の発明は、上面が開口した有底の箱本体を備えた地中埋設箱であって、前記箱本体内に引き込まれた配線・配管材を支持具を介して支持するための支持棒体を前記箱本体内で上下に立設可能とすべく、前記支持棒体を螺着可能な雌ねじ部が前記上面開口に向けて自身の底壁部に形成されていることを特徴としている。請求項４の発明は、請求項２の発明を「地中埋設箱」の観点から把握したものであって、その作用効果は、請求項２のそれと実質的に同一である。
【００１２】
また、請求項５の発明は、請求項４の発明において、前記支持棒体は、雄ねじ棒であることを特徴としており、請求項３の発明と同一の作用効果が奏される。
【００１３】
請求項６の発明は、請求項４又は５の発明において、前記箱本体には、内部に引き込まれた配線・配管材を仕切板により区画して収容可能とすべく、前記仕切板を係止させるための仕切板係止部が形成され、前記雌ねじ部は、前記仕切板により分割された複数の収容空間に前記支持棒体が各々立設可能なように、分割された各収容空間の底壁部にそれぞれ少なくとも一つは形成されていることを特徴としている。
【００１４】
また、請求項６の発明によれば、箱本体内を仕切板により縦横いずれの方向に分割しても、分割された各収容空間の底壁部には、一つ以上の雌ねじ部が形成されている。このため、箱本体内の収容空間を仕切板により縦横いずれの方向に分割しても、各分割収容空間にそれぞれ配線・配管材を支持する支持棒体を立設させられて、箱本体内を仕切板により縦横いずれの方向に区画しても、区画収容された各収容空間において配線・配管材を支持棒体に支持できて、配線・配管材の区画収容に対応可能となる。
【００１５】
請求項７の発明は、請求項６の発明において、前記雌ねじ部は、内部の収容空間を二分割する仕切板が縦横のいずれの方向に配置されても、分割された各収容空間の底壁部に配置されるように、底壁部の中心に対して略対称で、しかも略対角線方向に沿って偶数個形成されていることを特徴としている。請求項７の発明によれば、箱本体の底壁部に形成された同一の雌ねじ部を、異なる分割態様の二つの収容空間に共用できるため、箱本体の底壁部に形成する雌ねじ部の数を最少限にできる。
【００１６】
また、請求項８の発明は、地中埋設箱の箱本体内に引き込まれた配線・配管材を前記箱本体内で支持する装置であって、請求項４に記載の地中埋設箱と、該地中埋設箱を構成する箱本体の底壁部に形成された雌ねじ部に螺着されて、前記箱本体内に立設される支持棒体と、前記箱本体内に引き込まれた配線・配管材を適宜高さで支持するために前記支持棒体に高さ調整自在に係合される支持具とを備えていることを特徴としている。
【００１７】
請求項８の発明は、請求項２の発明を「地中埋設箱内における配線・配管材の支持装置」の観点から把握したものであって、その作用効果は、請求項２のそれと実質的に同一である。
【００１８】
【発明の実施の形態】
以下、実施形態を挙げて、本発明について更に詳細に説明する。図１は、仕切板Ｐで内部の収容空間２が二つに仕切られた本発明に係る地中埋設箱Ｂの箱本体１０と、この箱本体１０の上面開口１を閉塞する蓋体Ｄとの分解斜視図であり、図２は、箱本体１０と、その内部を仕切る仕切板Ｐと、雄ねじ棒Ｒと、支持具Ｓ１  との分解斜視図であり、図３は、各分割収容空間２ａ，２ｂにそれぞれ異なるケーブルＫ１  ，Ｋ２  が配線された状態の平面図であり、図４は、図３のＸ１  −Ｘ１  線断面図であり、図５は、図３のＸ２  −Ｘ２  線断面図であり、図６は、箱本体１０の底壁部１２の平面図であり、図７は、図６のＹ−Ｙ線の拡大断面図である。
【００１９】
図１において、地中埋設箱Ｂは、有底の四角形の箱本体１０と、該箱本体１０の上面開口１（図５参照）を閉塞する蓋体Ｄとで構成され、前記箱本体１０の内部の収容空間２は、１枚の仕切板Ｐにより二分割されて区画可能になっている。また、箱本体１０の上面開口を閉塞する蓋体Ｄは、箱本体１０の上端面に載置状態でセットされる蓋受け体Ｄ１  と、該蓋受け体Ｄ１  の中心部の円形開口３１を閉塞する円形状の蓋体本体Ｄ２  とで構成される。
【００２０】
地中埋設箱Ｂの箱本体１０は、図２ないし図６に示されるように、熱可塑性合成樹脂で成形されていて、その側壁部３は、僅かに外側に傾斜して形成され、側壁部３の上端部の外側には、後述の水収容空間Ｖを形成する底板部４がフランジ状に水平に張り出した状態で全周に亘って形成され、前記底板部４の外端部には、外壁板部５が全周に亘って垂直配置されて形成されている。図４に示されるように、前記外壁板部５の上端は、当該上端に対しても通常の蓋受け体Ｄ１  よりもサイズの大きな別の蓋受け体を載置可能とすべく、箱本体１０の側壁部３の上端よりも僅かに高くなっていると共に、その下端は、水収容空間Ｖを成形する前記底板部４よりも大きく下方に位置している。換言すると、垂直配置される外壁板部５の高さ方向の中央よりも上方の部分の内側に前記底板部４が一体に形成されている。また、前記外壁板部５の下端部には、フランジ状をした浮上り防止板部６が外側に向け、しかも水平となって全周に亘って一体に形成され、浮上り防止板部６と外側壁部５との間には、その各辺の中央部及び箱本体１０のコーナー部にそれぞれ三角形状をした補強リブ７が一体に設けられている。
【００２１】
また、全体が方形枠状をした外壁板部５の各コーナー部は、他の部分の上端位置よりも部分的に高くなった位置決め部５ａとなっており、この位置決め部５ａは、箱本体１０の側壁部３の上端面に蓋受け体Ｄ１  をセットする際の位置決め機能を果たす。また、箱本体１０の側壁部３の上端面にセットされる通常サイズの蓋受け体Ｄ１  よりも大きなサイズ（方形枠状をした外壁板部５よりも大きなサイズ）の蓋受け体をセットする場合には、前記各位置決め部５ａは、外壁板部５の上端面と同一位置となるまで切除する。
【００２２】
また、箱本体１０の上端部の外側に全周に亘って設けられる前記水収容空間Ｖは、箱本体１０の側壁部３の上端部と、その外側に一体に形成された底板部４と、その外側に一体に形成された外壁板部５とで形成されて、箱本体１０を地中埋設して使用する際に、水を一時的に収容する部分であって、前記底板部４には、水収容空間Ｖに一時的に収容した水を、これよりも下方の土中に排水するための多数の排水孔８（図２ないし図５参照）が周方向に沿って所定間隔をおいて設けられている。
【００２３】
また、四角形の箱本体１０は、平面視で正方形状をしている。側壁部３は、相対向する一対の側壁板部３ａと、同様の一対の側壁板部３ｂとで構成され、各側壁板部３ａ，３ｂの辺長（水平方向の長さ）は等しい。各側壁板部３ａ，３ｂの内側面であって、その横方向（水平方向）の中央部には、それぞれ第１仕切板係止部１１が上下方向に沿って形成されている。第１仕切板係止部１１は、一対の突条１１ａで形成されて、各突条１１ａの間の溝部１１ｂに、仕切板Ｐの上端部が挿入係止されるようになっている。また、側壁部３の全体形状は、上記したように各側壁板部３ａ，３ｂが僅かに外側に傾斜した形状になっているために、前記第１仕切板係止部１１は、各側壁板部３ａ，３ｂの高さ方向の略中央部から上端に至る間においてのみ形成されていて、突条１１ａの高さは上端に向かう程高くなっている。
【００２４】
また、図２及び図４に示されるように、平板状の仕切板Ｐの横寸法（幅）は、箱本体１０の一辺の長さに対応していると共に、その縦寸法（高さ）は、箱本体１０の深さに対応している。仕切板Ｐの上端部の両端には、それぞれ係止板部２０が横方向に突出しており、箱本体１０の収容空間２に仕切板Ｐを側壁部３のいずれかの側壁板部３ａ，３ｂと平行に配置して、側壁部３の内側に形成された各第１仕切板係止部１１のうち仕切板Ｐと直交している一対の側壁板部３ａ（３ｂ）の内側の対向する一対の第１仕切板係止部１１に、仕切板Ｐの上端部の各係止板部２０を係止させると、箱本体１０の内部の収容空間２は、仕切板Ｐにより二分割されて区画される。なお、第１仕切板係止部１１は、上下方向に沿って所定の長さを有しているために、高さの異なる仕切板Ｐの取付けが可能となる。
【００２５】
また、図６及び図７に示されるように、箱本体１０の底壁部１２の中央部には、箱本体１０の内部に配設される仕切板Ｐの下端部を係止させて、使用中に仕切板Ｐが傾斜するのを防止する十字状の第２仕切板係止部１３が形成されている。第２仕切板係止部１３は、Ｌ字状の４個の突条１３ａの各直交部を中央にして９０°ずつ位相をずらして配置することにより、第１及び第２の各溝部１３ｂ，１３ｃが互いに直交し、しかも側壁板部３ａに平行となって形成された構成である。
【００２６】
また、図６及び図７に示されるように、箱本体１０の底壁部１２には、その平面視において一方の対角線Ｌに対して僅かにずれていて、しかも底壁部１２の中心Ｃに対して対称位置に、後述の雄ねじ棒Ｒの下端部を螺着するための一対のナット体１４が埋設されている。底壁部１２におけるナット体１４が埋設される部分は、その内側に膨出した膨出部１５となっていて、該膨出部１５には、上面に開口した雄ねじ棒挿通孔１６が形成されていて、前記膨出部１５に前記ナット体１４が箱本体１０の上面開口１に向けて埋設されている。一対のナット体１４は、箱本体１０の底壁部１２の中心Ｃに対して上記のように配置されているので、仕切板Ｐの下端部を底壁部１２の第２仕切板係止部１３の第１及び第２の各溝部１３ｂ，１３ｃのいずれかに係止させて、内部の収容空間２を異なる態様で二分割して区画しても、二分割された各分割収容空間２ａ，２ｂ（２ｃ，２ｄ）の底壁部１２には、常に一つのナット体１４が配置されることとなる。
【００２７】
このため、箱本体１０の底壁部１２に、本実施形態では最少個数である２個のナット体１４を埋設しておけば、収容空間２の２種類の異なる分割態様の各分割収容空間２ａ，２ｂ（２ｃ，２ｄ）に対してナット体１４が共用されて、最少個数のナット体１４により、各分割収容空間２ａ，２ｂ（２ｃ，２ｄ）に雄ねじ棒Ｒを立設させられる。また、一対のナット体１４は、箱本体１０の底壁部１２の一方の対角線Ｌに対して僅かにずれた状態で、前記底壁部１２の中心Ｃに対して対称に配置されているので、仕切板Ｐを互いに直交する異なる位置に配置して、箱本体１０の内部の収容空間２を二分した場合には、各ナット体１４に螺着されて底壁部１２に立設された雄ねじ棒Ｒと仕切板Ｐとの間隔は異なる。即ち、図３に示されるように、仕切板Ｐの下端部を第２仕切板係止部１３の第１溝部１３ｂに係止させた場合は、第２溝部１３ｃに係止させた場合よりも、仕切板Ｐと雄ねじ棒Ｒとの間隔が大きくなる。このように設計されているのは、雄ねじ棒Ｒに係合させてケーブルＫ１  ，Ｋ２  を支持する支持具には、種々の構造のものがあって、後述の支持具Ｓ１  のように、両側に支持部を有する構造のものにおいて、仕切板Ｐと雄ねじ棒Ｒとの間に一方の支持部１７ｃを配置可能とするためである。
【００２８】
このように、箱本体１０の底壁部１２には、箱本体１０の上面開口１に向けてナット体１４が埋設されているため、雄ねじ棒Ｒの下端部を雄ねじ棒挿通孔１６（図５及び図７参照）に挿通させて回転させると、図１及び図５に示されるように、その下方のナット体１４に雄ねじ棒Ｒが箱本体１０の収容空間２内において垂直に配置された状態で螺着される。
【００２９】
また、箱本体１０の収容空間２内において垂直に配置された雄ねじ棒Ｒには、箱本体１０内に配置されるケーブルＫ１  ，Ｋ２  等の各種の配線・配管材を支持するための支持具が係合状態で取付けられる。例えば、図２及び図８に示される支持具Ｓ１  は、雄ねじ棒Ｒを挟んだ状態で一体に結合される一対の分割支持体１７により構成される。一対の分割支持体１７は、ほぼ同一形状であって、対向内側面に雄ねじ棒Ｒの直径に対応した断面半円形の嵌合溝１７ａが上下方向に形成された本体部１７ｂと、該本体部１７ｂの下端部の両側に延設された支持部１７ｃとで構成される。支持具Ｓ１  を構成する一対の分割支持体１７は、雄ねじ棒Ｒを挟んだ状態で、２本のビス１８を介して一体に結合させることにより、雄ねじ棒Ｒに係合状態で取付けられる。このため、箱本体１０の底壁部１２に立設された雄ねじ棒Ｒに対する高さ方向の係合位置は、支持するケーブルＫ１  ，Ｋ２  の位置に対応して無段階に調整可能であると共に、前記雄ねじ棒Ｒに対する周方向の係合位置に関しても、支持するケーブルＫの位置に対応して任意に調整可能となる。
【００３０】
次に、例えば強電用の電力供給ケーブルＫ１  と弱電用の電話ケーブルＫ２  との異なる二種類のケーブルＫ１  ，Ｋ２  を地中埋設箱Ｂに引き込んで、いずれも直線状に配線して中継接続する第１実施形態について説明する。まず、図２に示されるように、箱本体１０を構成する側壁部３のうち相対向していて、第２仕切板係止部１３の第１溝部１３ｂに対して直交する各側壁板部３ａの所定高さ位置にそれぞれ２個ずつの貫通孔Ｈを左右に振り分けて穿孔する。次に、箱本体１０の内部に仕切板Ｐを挿入して、仕切板Ｐの上端部の係止板部２０を、相対向する各側壁板部３ａの内側に形成された第１仕切板係止部１１に係止させると共に、仕切板Ｐの下端部を第２仕切板係止部１３の第１溝部１３ｂに係止させると、図１、図３ないし図５に示されるように、箱本体１０の内部の収容空間２は、仕切板Ｐによって二つの分割収容空間２ａ，２ｂに分割される。
【００３１】
次に、箱本体１０の各側壁板部３ａに穿孔された貫通孔ＨにカップリングＭをそれぞれ取付けておく。図４に示されるように、地中埋設箱Ｂの埋設位置に掘削した埋設孔の底部には、捨コンクリートが打設されて設置部２１が形成されており、内部の収容空間２が仕切板Ｐで二つに仕切られて、対向する各側壁板部３ａにカップリングＭが取付けられた箱本体１０を前記設置部２１に設置する。この状態で、箱本体１０の各側壁板部３ａの両側にそれぞれ２本ずつ配管された各ケーブル保護管Ｎの端部を、箱本体１０の各側壁板部３ａにそれぞれ２本ずつ取付けられた各カップリングＭに連結すると、二種類の異なるケーブルＫ１  ，Ｋ２  を挿通して保護するための各ケーブル保護管Ｎが箱本体１０に接続される。この状態で、一方のケーブル保護管Ｎから引き出されたケーブルＫ１  を箱本体１０の分割収容空間２ａに引き込んで、他方のケーブル保護管Ｎに挿通させる。別のケーブルＫ２  に関しても全く同様にして、一方のケーブル保護管Ｎから箱本体１０の分割収容空間２ａに引き込んで、他方のケーブル保護管Ｎに挿通させる。この配線作業により、二種類の異なるケーブルＫ１  ，Ｋ２  は、仕切板Ｐにより二分割された箱本体１０の内部の各分割収容空間２ａ，２ｂに部分的に露出した状態で収容され、そのままでは、箱本体１０の底壁部１２に垂れ下がった状態となる。
【００３２】
次に、箱本体１０の各分割収容空間２ａ，２ｂにそれぞれ雄ねじ棒Ｒを挿入して、その下端部を底壁部１２に埋設されている各ナット体１４に螺着させると、各分割収容空間２ａ，２ｂにそれぞれ雄ねじ棒Ｒが仕切板Ｐとの間に所定の隙間を有して立設される。ここで、箱本体１０の各分割収容空間２ａ，２ｂの底壁部１２には、それぞれ異なるケーブルＫ１  ，Ｋ２  が垂れ下がっており、この垂下り長（余長）を見計らって、各雄ねじ棒Ｒの最適な高さに支持具Ｓ１  を上記したようにして係合させる。第１実施形態では、各ケーブルＫ１  ，Ｋ２  は、地中埋設箱Ｂを介して直線状に中継接続されるので、支持具Ｓ１  の支持部１７ｃは、ケーブルＫ１  ，Ｋ２  の配線方向に対してほぼ直交して配置される。そして、箱本体１０の各分割収容空間２ａ，２ｂの底壁部１２に垂れ下がっている各ケーブルＫ１  ，Ｋ２  を持ち上げて、各支持具Ｓ１  の支持部１７ｃに引っ掛けると、図１及び図４に示されるように、各ケーブルＫ１  ，Ｋ２  は、支持具Ｓ１  から適度に垂れ下がった状態で配線方向に沿って支持具Ｓ１  に支持されるため、各ケーブルＫ１  ，Ｋ２  の支持状態が安定化する。
【００３３】
このように、箱本体１０内における各ケーブルＫ１  ，Ｋ２  の余長、配線方向等に応じた最適な高さ位置と最適方向に沿って支持具Ｓ１  を雄ねじ棒Ｒに係合させることができるので、いかなる配線状態であっても、箱本体１０内において各ケーブルＫ１  ，Ｋ２  を最も安定した状態で支持できる。なお、箱本体１０内における各ケーブルＫ１  ，Ｋ２  の支持作業の終了後においては、箱本体１０の周辺の孔部に土を埋め戻して、箱本体１０の上面開口１を蓋体Ｄで閉塞しておく。
【００３４】
また、上記した第１実施形態では、二種類の異なるケーブルＫ１  ，Ｋ２  を地中埋設箱Ｂの部分において、いずれも直線状にして中継接続する例であるが、図９に示される第２実施形態においては、仕切板Ｐにより二分割された各分割収容空間２ａ，２ｂのうち、一方の分割収容空間２ａにおいては、上記第１実施形態と同様にしてケーブルＫ１  が直線状に接続されて、分割収容空間２ａ内に配置されたケーブルＫ１  は、雄ねじ棒Ｒに螺着された一つの支持具Ｓ１  に支持されていると共に、他方の分割収容空間２ｂにおいては、ケーブルＫ２  が分岐接続されている。即ち、他方の分割収容空間２ｂにおいては、これを形成する側壁部３のうち対向する側壁板部３ａにそれぞれ貫通孔Ｈが穿孔されて、各貫通孔ＨにカップリングＭを介してケーブル保護管Ｎが接続されていると共に、側壁部３を構成する別の側壁板部３ｂ（仕切板Ｐと略平行な側壁板部）には、一つの貫通孔Ｈが穿孔されて別のケーブル保護管ＮがカップリングＭを介して接続されている。そして、仕切板Ｐと略平行に配管されたケーブル保護管Ｐから引き込まれた複数本のケーブルＫ２  の一部は、直線配線されて、仕切板Ｐと略平行に配管された別のケーブル保護管Ｐに挿通されると共に、複数本のケーブルＫ２  の残りは、屈曲配線されて、仕切板Ｐと略直交して配管された別のケーブル保護管Ｎに挿通されている。また、他方の分割収容空間２ｂの底壁部１２に立設された雄ねじ棒Ｒには、一つの支持具Ｓ１  が平面視において仕切板Ｐに対して傾斜して係合されていて、支持具Ｓ１  の支持部１７ｃの一方には、直線的に配線されるケーブルＫ２  が支持されていると共に、前記支持部１７ｃの他方には、屈曲配線されるケーブルＫ２  が支持されている。
【００３５】
また、図１０に示される第３実施形態のように、地中埋設箱Ｂの箱本体１０には、２本のケーブル保護管Ｎが相上下した態様で接続されることもある。図示の例では、仕切板Ｐにより二分割された箱本体１０内の一方の分割収容空間２ａには、１本のケーブル保護管Ｎが接続されているのみであるが、他方の分割収容空間２ｂには、２本のケーブル保護管Ｎが相上下して接続されている。この場合には、他方の分割収容空間２ｂの底壁部１２に立設された雄ねじ棒Ｒには、２本の各ケーブル保護管Ｎよりも僅かに高い位置にそれぞれ支持具Ｓ１  が係合支持されていて、相上下する各ケーブル保護管Ｎから引き込まれた各ケーブルＫ２  は、それぞれ相上下する別の支持具Ｓ１  に支持される。このため、相上下する各ケーブル保護管Ｎから引き込まれた各ケーブルＫ２  は、互いに絡まることなく、安定して支持される。
【００３６】
このように、ケーブルＫ１  ，Ｋ２  の支持装置Ａは、地中埋設箱Ｂの箱本体１０と、該箱本体１０の底壁部１２に立設される雄ねじ棒Ｒと、該雄ねじ棒Ｒに螺着される支持具Ｓ１  とで構成されて、雄ねじ棒Ｒに係合支持される支持具Ｓ１  は、箱本体１０の分割収容空間２ａ，２ｂ内に配線された各ケーブルＫ１  ，Ｋ２  の余長に対応して、その係合支持の高さ位置を無段階に調整できるのみならず、分割収容空間２ａ，２ｂ内においてケーブルＫ１  ，Ｋ２  が屈曲配線される場合には、この屈曲配線方向に対応して、雄ねじ棒Ｒの周方向に対する支持具Ｓ１  の係合位置を自在に調整できる。よって、本発明に係るケーブルＫ１  ，Ｋ２  の支持装置Ａによれば、雄ねじ棒Ｒに対して支持具Ｓ１  を係合構造により支持しているために、箱本体１０の収容空間２内におけるケーブルＫ１  ，Ｋ２  の配線高さ、及び配線方向の双方に対応して、ケーブルＫ１  ，Ｋ２  を支持する支持具Ｓ１  の配置高さ、及び配置方向を自在に調整できて、地中埋設箱Ｂを使用したケーブルＫ１  ，Ｋ２  の種々の中継接続に対応できる。
【００３７】
また、図１１及び図１２に示される第４実施形態では、仕切板Ｐは、その下端部が第２仕切板係止部１３の第２溝部１３ｃに係止されて、上記と直交する方向に配置されることにより、内部の収容空間２は、各分割収容空間２ｃ，２ｄに二分割されている。このため、図１１に示されるように、各分割収容空間２ｃ，２ｄの底壁部１２に立設された雄ねじ棒Ｒと仕切板Ｐとの間隔は、上記した第１ないし第３の各実施形態よりも狭くなっている。
【００３８】
第４実施形態で使用される支持具Ｓ２  は、図１３に示されるように、全体形状がＵ字状をしており、一部が欠落した筒状をしていて、雄ねじ棒Ｒに係合支持される係合部２２と、該係合部２２の一端に一体に形成された支持部２３とで構成される。係合部２２は、その長手方向の中央部に、雄ねじ棒Ｒが挿入可能な第１雄ねじ棒挿入開口２２ａが基板部２２ｂを除く全周に形成されていて、該第１雄ねじ棒挿入開口２２ａの両側には、相互に位相が１８０°ずれた位置に長手方向に沿って第２雄ねじ棒挿入開口２２ｃが形成されている。第２雄ねじ棒挿入開口２２ｃの開口幅は、雄ねじ棒Ｒの直径よりも僅かに小さくなっていて、雄ねじ棒Ｒの挿入時には、弾性変形により拡開される。
【００３９】
そして、雄ねじ棒Ｒに対して支持具Ｓ２  を係合支持させるには、図１３（イ）に示されるように、支持具Ｓ２  の全体をほぼ水平に配置して、係合部２２の第１雄ねじ棒挿入開口２２ａに対して雄ねじ棒Ｒを相対的に挿入し、この状態で支持具Ｓ２  の全体を第１雄ねじ棒挿入開口２２ａの部分を中心にして矢印Ｑに示される方向に略９０°だけ回動させる。これにより、図１３（ロ）に示されるように、周方向の位相が互いに１８０°だけずれて形成された係合部２２の各第２雄ねじ棒挿入開口２２ｃの部分が弾性変形により拡開された後に原形状に復元して、各第２雄ねじ棒挿入開口２２ｃに雄ねじ棒Ｒが挿入された状態になると共に、弾性復元力により係合部２２の全体が雄ねじ棒Ｒに弾接することにより、雄ねじ棒Ｒに対して支持具Ｓ２  が係合保持される。
【００４０】
このため、仕切板Ｐと雄ねじ棒Ｒとの間隔が少ない場合でも、係合部２２の一方側にのみ支持部２３を備えた支持具Ｓ２  を使用して、図１１に示されるように、支持部２３を雄ねじ棒Ｒに対して仕切板Ｐと反対側に配置することにより、雄ねじ棒Ｒに対して支持具Ｓ２  の係合支持が可能となる。また、雄ねじ棒Ｒに対して支持具Ｓ２  は、上記のようにして係合支持されるので、雄ねじ棒Ｒに対する支持具Ｓ２  の係合支持高さ、及び周方向に沿った配置位置の双方を自在に調整できる。
【００４１】
そして、箱本体１０の内部の収容空間２が仕切板Ｐにより二分割された一方の分割収容空間２ｃには、地中埋設箱Ｂを介して直線配線されるケーブルＫ１  の一部が露出配線されていて、その余長部は、分割収容空間２ｃ内の雄ねじ棒Ｒに係合支持された支持具Ｓ２  の支持部２３に支持されている。他方の分割収容空間２ｄにおいては、地中埋設箱Ｂの部分で屈曲配線される２本のケーブルＫ２  が露出配線されている。分割収容空間２ｄ内で屈曲配線される２本のケーブルＫ２  は、分割収容空間２ｄ内の雄ねじ棒Ｒに相上下して係止支持された二つの各支持具Ｓ２  の各支持部２３に支持されている。ここで、図１１及び図１２に示されるように、２本のケーブルＫ２  の途中を支持する各支持具Ｓ２  の支持部２３は、仕切板Ｐに対して傾斜して配置されているため、分割収容空間２ｄ内においては、２本のケーブルＫ２  はいずれも安定した状態で屈曲配線される。
【００４２】
また、上記各実施形態では、支持具Ｓ１  ，Ｓ２  を高さ調整自在で、しかも周方向に沿った配置位置も調整可能にして係止支持するための支持棒体として雄ねじ棒Ｒを使用し、この雄ねじ棒によれば、支持具Ｓ１  ，Ｓ２  の取付高さの調整を無段階にできる利点がある。しかし、本発明における支持棒体は、雄ねじ棒に限られず、例えば、極めて小さなピッチで多数の係合片が長手方向に沿って形成された支持棒体を使用することも可能である。
【００４３】
また、上記各実施形態では、支持棒体が雄ねじ棒Ｒであるために、箱本体１０の底壁部１２に、前記雄ねじ棒Ｒと螺合するナット体１４を埋設してあるが、支持棒体を箱本体１０の底壁部１２に立設させる手段としては、ナット体１４に限られない。例えば、支持棒体の下端部を上方から落とし込んで係合することにより、支持棒体を立設させられる係合機構であってもよい。
【００４４】
また、支持棒体の下端部を螺着させて、箱本体の底壁部に支持棒体を立設可能にするために、前記底壁部に形成される雌ねじ部に関しても、上記実施形態のようにナット体を埋設する構造に限られず、底壁部に雌ねじを直接に形成してもよい。
【００４５】
また、ケーブル等の配線・配管材を支持する支持具に関しても、上記実施形態の各支持具Ｓ１  ，Ｓ２  は、支持棒体である雄ねじ棒Ｒの途中においても自在に脱着できる利点があるが、支持棒体に対して高さ調整自在で、しかも周方向に沿った配置位置も調整可能にして係止支持できる構造のものであれば、いかなるものであってもよい。
【００４６】
また、地中埋設箱（箱本体）内における配線・配管材の配線・配管形態に関しても、仕切板を介して内部の収容空間を複数に分割するものに限定されず、非分割の収容空間内に配線・配管する形態に対しても当然に適用可能である。
【００４７】
【発明の効果】
本発明は、箱本体の底壁部に形成した取付部に支持棒体の下端部を取付けて前記底壁部に支持棒体を立設するという極めて簡単な構成により、地中埋設箱内で配線・配管材の支持高さを無段階、又はほぼ無段階に調整可能にして、安定した支持状態を確保すると共に、支持部材の側方への延設方向の調整も自在にして、地中埋設箱内での屈曲配線も安定して支持できる。
【図面の簡単な説明】
【図１】仕切板Ｐで内部の収容空間２が二つに仕切られた本発明に係る地中埋設箱Ｂの箱本体１０と、この箱本体１０の上面開口１を閉塞する蓋体Ｄとの分解斜視図である。
【図２】箱本体１０と、その内部を仕切る仕切板Ｐと、雄ねじ棒Ｒと、支持具Ｓ１  との分解斜視図である。
【図３】各分割収容空間２ａ，２ｂにそれぞれ異なるケーブルＫ１  ，Ｋ２  が配線された状態の平面図である。
【図４】図３のＸ１  −Ｘ１  線断面図である。
【図５】図３のＸ２  −Ｘ２  線断面図である。
【図６】箱本体１０の底壁部１２の平面図である。
【図７】図６のＹ−Ｙ線の拡大断面図である。
【図８】（イ），（ロ）は、それぞれ支持具Ｓ１  を雄ねじ棒Ｒに係合支持する前後の斜視図である。
【図９】分割収容空間２ｂ内に配線される複数本のケーブルＫ２  が分岐配線される状態を示す箱本体１０の平面図である。
【図１０】分割収容空間２ｂ内に複数本のケーブルＫ２  が相上下して配線される状態を示す箱本体１０の正面断面図である。
【図１１】分割収容空間２ｄ内に複数本のケーブルＫ２  が相上下して屈曲配線される状態を示す箱本体１０の平面図である。
【図１２】同じく一部を破断した斜視図である。
【図１３】（イ），（ロ）は、それぞれ支持具Ｓ２  を雄ねじ棒Ｒに係合支持する前後の斜視図である。
【符号の説明】
Ａ：配線・配管材の支持装置
Ｂ：地中埋設箱
Ｃ：地中埋設箱の底壁部の中心
Ｋ１  ，Ｋ２  ：ケーブル（配線・配管材）
Ｐ：仕切板
Ｌ：地中埋設箱の底壁部の対角線
Ｒ：雄ねじ棒（支持棒体）
Ｓ１  ，Ｓ２  ：支持具
１：箱本体の上面開口
２：箱本体の収容空間
２ａ〜２ｄ：分割収容空間
１０：箱本体
１１：第１仕切板係止部（仕切板係止部）
１２：箱本体の底壁部
１３：第２仕切板係止部（仕切板係止部）
１４：ナット体（取付部，雌ねじ部）
【図１】
2004350431.tif 000003
【図２】
2004350431.tif 000004
【図３】
2004350431.tif 000005
【図４】
2004350431.tif 000006
【図５】
2004350431.tif 000007
【図６】
2004350431.tif 000008
【図７】
2004350431.tif 000009
【図８】
2004350431.tif 000010
【図９】
2004350431.tif 000011
【図１０】
2004350431.tif 000012
【図１１】
2004350431.tif 000013
【図１２】
2004350431.tif 000014
【図１３】
2004350431.tif 000015